(57)【要約】【課題】特別な技術や技能を必要とせずに、非常に小さな種であっても１粒ずつ狙った位置に素早く種を蒔くことができるとともに、軽量かつコンパクトな種蒔き具を提供する。【解決手段】使用者によって把持される把持部２と、把持部２に連結されるとともに、複数の種４が載置される種載置部１と、種載置部１を振動するための振動発生部３とを備える。種載置部１は、断面が略Ｖ字形状である。振動発生部３は、把持部２に設けられた複数の凸部３０または凹部３０である。使用者が爪Ｎで前記凸部３０または凹部３０を擦ることで、把持部２を介して種載置部１が振動する。【選択図】図１
2018174853.tif 000002
【特許請求の範囲】
【請求項１】
使用者によって把持される把持部と、
前記把持部に連結されるとともに、複数の種が載置される種載置部と、
前記種載置部を振動するための振動発生部と、を備えた種蒔き具であって、
前記種載置部は、断面が略Ｖ字形状であって、
前記振動発生部は、前記把持部に設けられた複数の凸部または凹部であって、前記使用者が爪で前記凸部または凹部を擦ることで、前記把持部を介して前記種載置部を振動する
ことを特徴とする種蒔き具。
【請求項２】
前記把持部は、長手方向に延設された板状部材で構成され、
前記振動発生部は、前記長手方向に直角方向かつ前記把持部の周方向に延設される複数の凸部であって、
前記各凸部は、平行に配置される
ことを特徴とする請求項１に記載の種蒔き具。
【請求項３】
前記振動発生部は、前記長手方向に複数の領域で分割され、
前記各領域における前記各凸部の間隔の距離が異なる
ことを特徴とする請求項２に記載の種蒔き具。
【請求項４】
前記種載置部は、先端に向けて先細りで、かつ、透明な部材で構成される
ことを特徴とする請求項１〜３のいずれかに記載の種蒔き具。
【請求項５】
請求項１〜４のいずれかの種蒔き具を使用する種蒔き方法であって、
前記種載置部の前記略Ｖ字形状の筋部が地面に向くように、前記種載置部を配置して、
前記振動発生部の前記凸部または凹部を前記爪で擦り、それによって、前記種載置部に載置された前記複数の種を、前記種載置部の前記略Ｖ字形状の筋部に沿って整列しながら前記地面に落下する
ことを特徴とする種蒔き方法。
【発明の詳細な説明】
【技術分野】
【０００１】
本発明は、種蒔き具および種蒔き方法に関する。より詳しくは、本発明は、非常に小さな種であっても、種を１粒ずつ狙った位置に容易に蒔くことができるとともに、小さくて軽いハンディタイプの種蒔き具、およびこの種蒔き具を用いた種蒔き方法に関する。
【背景技術】
【０００２】
従来、セルトレーに種蒔きをする作業では、種が１ｍｍ以下の場合、１粒ずつ指で摘まんで種を蒔くことは非常に困難であった。そこで、例えば、ピンセットで種を摘まんで蒔いたり、爪楊枝の先を水に濡らして種を蒔いたりなど、工夫が必要であった。
【０００３】
しかしながら、このような工夫をしても、１粒ずつ狙った位置に素早く種を蒔くことは困難であった。そこで、種を蒔くための種蒔き具が発明および考案されてきた。
【０００４】
例えば、特許文献１の播種器は、把持部に電池が内装されているとともに、振動発振部を備えている。そして、播種器先端のヘラ部に電動で振動を付与して、小粒の種をヘラ部の上で踊らせながら順次落下させる。また、特許文献１の播種器は、ヘラ部の先端辺に複数の種制御用突起を並設して、種を１粒ずつ順序良くヘラ部の先端から落下させるように構成されている。
【０００５】
しかしながら、この播種器は、電池式であるために、電池交換が必要であるので、使用中に電池切れすることや、電化製品であるために故障することもあった。また、電池を必要とするために軽量化およびコンパクト化が困難であった。さらに、部品点数が多いので、製造コストがかかっていた。
【０００６】
したがって、電池を必要としない種蒔き具であるとともに、小さくて軽いハンディタイプの種蒔き具が望まれる。
【先行技術文献】
【特許文献】
【０００７】
【特許文献１】特開２００３−２５０３０８号公報
【発明の概要】
【発明が解決しようとする課題】
【０００８】
本発明は、上記事情に鑑みてなされたものであって、軽量かつコンパクトであるとともに、非常に小さな種であっても、特別な技術や技能を必要とせずに、１粒ずつ狙った位置に素早く種を蒔くことができる種蒔き具、およびこの種蒔き具を用いた種蒔き方法を提供することを課題とする。
【課題を解決するための手段】
【０００９】
上記課題を解決するため、本発明にかかる種蒔き具は、
使用者によって把持される把持部と、
把持部に連結されるとともに、複数の種が載置される種載置部と、
種載置部を振動するための振動発生部と、を備えた種蒔き具であって、
種載置部は、断面が略Ｖ字形状であって、
振動発生部は、把持部に設けられた複数の凸部または凹部であって、使用者が爪で凸部または凹部を擦ることで、把持部を介して種載置部を振動する。
【００１０】
好ましくは、
把持部は、長手方向に延設された板状部材で構成され、
振動発生部は、長手方向に直角な方向かつ把持部の周方向に延設される複数の凸部であって、
各凸部は、平行に配置される。
【００１１】
好ましくは、
振動発生部は、長手方向に複数の領域で分割され、
各領域における各凸部の間隔の距離が異なる。
【００１２】
好ましくは、
種載置部は、先端に向けて先細りで、かつ、透明な部材で構成される。
【００１３】
本発明にかかる種蒔き方法は、
上記の種蒔き具を使用する種蒔き方法であって、
種載置部の略Ｖ字形状の筋部が地面に向くように、種載置部を配置して、
振動発生部の凸部または凹部を爪で擦り、それによって、種載置部に載置された複数の種を、種載置部の略Ｖ字形状の筋部に沿って整列しながら地面に落下する。
【発明の効果】
【００１４】
本発明にかかる種蒔き具は、軽量かつコンパクトであるとともに、電池を必要としない。また、本発明にかかる種蒔き具および種蒔き方法は、非常に小さな種であっても、特別な技術や技能を必要とせずに、１粒ずつ狙った位置に素早く種を蒔くことができる。
【図面の簡単な説明】
【００１５】
【図１】本発明にかかる種蒔き具の一実施形態を示す斜視図である。
【図２】種蒔き作業時の本発明にかかる種蒔き具の一実施形態を示す側面図である。
【図３】本発明にかかる振動発振部を示す平面図である。
【発明を実施するための形態】
【００１６】
以下、図面に基づいて、本発明にかかる種蒔き具および種蒔き方法の実施形態を説明する。
【００１７】
図１および図２に示すように、種蒔き具は、使用者によって把持される把持部２を備える。さらに、種蒔き具は、複数の種４が載置される種載置部１を備える。種載置部１は、把持部２に連結される。さらに種蒔き具は、種載置部１を振動させる振動発生部３を備える。
【００１８】
種載置部１は、断面が略Ｖ字形状である。Ｖ字形状の折り角度は、限定しない。使用者は、振動発生部３の凸部を爪で擦ることにより把持部２を介して種載置部１を振動させる。種載置部の断面が略Ｖ字形状であることにより、種載置部１が振動されると略Ｖ字形状の筋部１ａに沿って整列しながら種４が移動する。筋部１ａは、種載置部１の折り目線に沿ったくぼみ部である。
【００１９】
把持部２は、長手方向（Ｘ方向）に延設された板状部材で構成されてもよい。板状であることによって、しっかりと把持することができるので、種蒔き具の意図しない回転を制御し、種蒔き具が安定した状態で種蒔きをすることができるからである。なお、把持部２は、円筒状部材でも良い。
【００２０】
振動発生部３は、把持部２の長手方向（Ｘ方向）に直角方向（Ｙ方向）かつ把持部２の周方向に延設される複数の凸部３０を備える。各凸部３０は、平行に配置されてもよい。親指を除く指と手掌Ｈで把持部２を把持して、親指の爪Ｎで振動発生部３を擦るのに適しているからである。そうすることで、種まき具が安定した状態で振動を発生させることができる。なお、振動発生部３は、凹部３０を備えても良い。
【００２１】
振動発生部３は、図３に示すように、長手方向（Ｘ方向）に複数の領域３ａ、３ｂに分割されるとともに、各領域における各凸部３０の間隔の距離Ｌ１、Ｌ２が異なってもよい。そうすることで、領域３ａ、３ｂごとに異なった大きさの振動を発生させることができ、種載置部１上の種４の動作を制御しやすくなる。また、異なる種の大きさにも対応しやすくなる。
【００２２】
種載置部１は、先端１０に向けて先細りで、かつ、透明な部材で構成されてもよい。先端１０が先細りであることにより、種蒔き箇所が視認しやすくなるからである。また、透明な部材で構成することにより、さらに、種蒔き箇所の視認性が高められる。視認性が高められることで、種蒔き箇所を確実に目視でき、意図する箇所に種を蒔くことができる。
【００２３】
振動発生部３の凸部（または凹部）３０の形状は特に限定されないが、丸みを帯びていることが望ましい。振動発生部３を擦る爪が痛められることを防止できるからである。
【００２４】
本発明の種蒔き具の材質は、特に限定されないが、樹脂であることが望ましい。種蒔き具の色を透明に設計できるからである。また、金属に比べて、樹脂は硬度が低いことから、振動発生部３を擦る爪Ｎが傷つくことを防止できるからである。さらに、本体の軽量化によって、種蒔き作業による疲労を軽減できるからである。加えて、材料費の削減や製造工程の簡略化によるコストの削減に資するからである。
【００２５】
次に、図１および図２を用いて本発明の種蒔き具を用いた種蒔き方法を説明する。先ず、本発明の種蒔き具を使用者の手Ｈで把持して、種載置部１に種４を任意の数だけ載置する。種４の大きさおよび数は、特に限定されない。
【００２６】
次に、種蒔き箇所に向かって、種載置部１の略Ｖ次形状の筋部１ａが地面に向くように種載置部１を配置する。地面に向ける種載置部１の角度は、特に限定されない。
【００２７】
次に、振動発生部３の凸部３０を爪Ｎで擦る。すると、種載置部１に載置された複数の種４が、種載置部１の略Ｖ字形状の筋部１ａに沿って整列するとともに、種載置部１の先端１０から種蒔き箇所に１粒ずつ落下する。
【００２８】
振動を発生させる際に指の爪で擦る面は、図２に示すような振動発生部３の上面でなくてもよく、例えば、振動発生部３の下面を裏から擦ってもよいし、振動発生部３の側面を擦ってもよい。振動を発生させる際に凸部３０を擦る指の爪は、図２に示すように、親指の爪である必要はなく、例えば、人差し指の爪でもよい。また、片方の手のみで種蒔き具を用いないで、例えば、片方の手で把持部２を持つとともに、他方の手の指の爪で凸部３０を擦ってもよい。これらのように、本発明の種蒔き具は、使用者の好みや状況により使い分けることができる。
【００２９】
使用者は誰であっても、凸部３０を擦る速度を調整することにより、簡単に振動の度合いを調整することができる。したがって、非常に小さく軽い種であっても、重い種を蒔く時よりも遅い速度で凸部３０を爪Ｎで擦ることにより、種載置部１に載置された種４の重さに適した振動を種載置部１に与えることができる。そうすることで、種４は、種載置部１の略Ｖ字形状の筋部１ａに沿って整列するとともに、種載置部１の先端１０から地面に１粒ずつ落下する。
【００３０】
また、例えば、種４が種載置部１の先端１０に到達するまでは振動発生部３を速く擦ることによって、種４が種載置部の先端に到達する速度を速めることも可能である。
【００３１】
したがって、本発明によれば、誰でも簡単に振動発生部３を擦る速度を調整することで、非常に小さな種であっても１粒ずつ狙った位置に素早く種を蒔くことができる。そして、特別な技術や技能を必要とせずに、種の重さに左右されない安定した種蒔きが可能となる。
【００３２】
以上、本発明の好ましい実施形態を説明したが、本発明の構成はこれらの実施形態に限定されない。例えば、以下のように変更することもできる。
【００３３】
本発明の変形例として、図３に示すように、振動発生部を領域３ａおよび３ｂに分割して、領域ごとに凹凸部３０の高さを変更してもよい。凹凸の高さが異なる領域が複数あることにより、同じ速度で各領域を擦った場合でも、領域ごとに異なった大きさの振動が発生する。したがって、発生させる振動の大きさをコントロールしやすくなるので、種載置部１上の種４の動作をコントロールしやすくなる。そうすることで、異なる重さおよび大きさの種に応じた種蒔きが可能となる。
【００３４】
また、種載置部１と、振動発生部３を備える把持部２と、が取り外し可能であってもよい。凹凸部３０の間隔の距離や凹凸部３０の高さが異なる振動発生部３を備える複数の把持部２を備え、または／および、大きさの異なる複数の種載置部１を備えることにより、種の種類や量に応じて、振動発生部３を備える把持部２と種載置部１との組み合わせを変更することが可能となる。
【符号の説明】
【００３５】
１    種載置部
１ａ  筋部
１０  種載置部の先端
２    把持部
３    振動発生部
４    種
３０  振動発生部の凸部
３ａ  振動発生部の第１領域
３ｂ  振動発生部の第２領域
Ｌ１  振動発生部の第１領域の凸部の幅
Ｌ２  振動発生部の第２領域の凸部の幅
Ｘ    長手方向
【図１】
2018174853.tif 000003
【図２】
2018174853.tif 000004
【図３】
2018174853.tif 000005